(57)【特許請求の範囲】
【請求項１】
台脚に立設された支柱の上端部を、上方に向かって漸次縮径するテーパ面に形成し、座部等を支持する取付体の下部に形成された下方に向かって拡開するテーパ孔を、支柱の上端部に嵌合することにより、取付体を支持するようにした椅子の支柱への座部等の取付装置において、前記取付体に、テーパ孔の一部にかかるように切欠部を設け、該切欠部に、欠落したテーパ孔の一部を補完するテーパ面を有する脱着体を着脱自在に設けたことを特徴とする椅子の支柱への座部等の取付装置。
【請求項２】
脱着体が、取付体の外部からテーパ孔の周面に至る蓋状体で、取付体にねじ止めされたものである請求項１記載の椅子の支柱への座部等の取付装置。
【請求項３】
切欠部が、取付体の底面において、テーパ孔の周壁面の一部を上方に切欠いて形成され、該切欠部に、これと補形をなす脱着体が下方から嵌合され、固定ねじにより取付体に止着されたものである、請求項１記載の椅子の支柱への座部等の取付装置。
【請求項４】
支柱が伸縮式のものであり、その伸縮支柱の上端部をテーパ状として、そこに取付体を取り付けるようにした、請求項１〜３のいずれかに記載の椅子の支柱への座部等の取付装置。
【請求項５】
脱着体に大径のねじ孔を穿設し、該ねじ孔を遊通し、かつ取付体に穿設した小径のねじ孔に螺合する小径の有頭ねじをもって、脱着体を取付体に螺締し、前記有頭ねじの取外し後に、前記大径のねじ孔に大径の雄ねじを螺合しうるようにしたことを特徴とする、請求項１〜４のいずれかに記載の椅子の支柱への座部等の取付装置。
【発明の詳細な説明】
【０００１】
【発明の属する技術分野】
本発明は、椅子の支柱への座部等の取付装置に係り、特に座部を支柱から容易に取外しできるようにしたものに関する。
【０００２】
【従来の技術】
例えば、特開平９−１００６０号公報に記載されているように、従来の椅子の座部等を支持する取付体は、そのほぼ中央に下方に向かって拡開するテーパ孔を穿設し、それを伸縮支柱の上端部に形成した上方に向かって漸次縮径するテーパ面に嵌合させて、密着により強固に取付けられている。
【０００３】
【発明が解決しようとする課題】
前記装置においては、テーパ孔にテーパ面を密着、嵌合させるだけであるので、取付けは簡単であり、着座者の体重によって嵌合がより強固になるという利点がある。しかし反面では、上下のテーパ面同士が密着するため、これを取外したい場合には、伸縮支柱をレンチ等の工具で強く挟みつけてから、テーパ孔から無理に引き抜かなければならず、その際に挾みつけられた伸縮支柱の伸縮軸を、工具により傷つけて、伸縮が円滑になされなくなり、伸縮支柱の再利用が図れない等の問題がある。
【０００４】
本発明は、これらの実情に鑑み、取付けの効果を損なわず、取外しの容易な椅子の支柱への座部等の取付装置を提供することを目的としている。
【０００５】
【課題を解決するための手段】
本発明によると、上記課題は、次のようにして解決される。
【０００６】
(１) 台脚に立設された支柱の上端部を、上方に向かって漸次縮径するテーパ面に形成し、座部等を支持する取付体の下部に形成された下方に向かって拡開するテーパ孔を、支柱の上端部に嵌合することにより、取付体を支持するようにした椅子の支柱への座部等の取付装置において、前記取付体に、テーパ孔の一部にかかるように切欠部を設け、該切欠部に、欠落したテーパ孔の一部を補完するテーパ面を有する脱着体を着脱自在に設ける。
【０００７】
(２) 上記(１)項において、脱着体を、取付体の外部からテーパ孔の周面に至る蓋状体で、取付体にねじ止めされたものとする。
【０００８】
(３) 上記(１)項において、切欠部を、取付体の底面において、テーパ孔の周壁面の一部を上方に切欠いて形成され、該切欠部に、これと補形をなす脱着体が下方から嵌合され、固定ねじにより取付体に止着されたものとする。
【０００９】
(４) 上記(１)〜(３)項のいずれかにおいて、支柱が伸縮式のものであり、その伸縮支柱の上端部をテーパ状として、そこに取付体を取り付けるようにする。
【００１０】
(５) 上記(１)〜(４)項のいずれかにおいて、脱着体に大径のねじ孔を穿設し、該ねじ孔を遊通し、かつ取付体に穿設した小径のねじ孔に螺合する小径の有頭ねじをもって、脱着体を取付体に螺締し、前記有頭ねじの取外し後に、前記大径のねじ孔に大径の雄ねじを螺合しうるようにする。
【００１１】
【発明の実施の形態】
本発明の実施の形態を、図面を参照して説明する。図１〜図４は、本発明の第１の実施形態を示す。
【００１２】
図１において、本発明の椅子の支柱への座部等の取付装置(１)は、キャスタ(２)を有する台脚(３)の取付孔(４)に嵌合されて立設された伸縮支柱(５)の上部に、座部や背もたれ(図示略)などを支持するための取付体(９)を取付けるためのものである。
【００１３】
伸縮支柱(５)は、支筒(６)の上部に、公知のガススプリングを介して上下動可能な可動柱軸(７)が嵌装されて形成されている。
【００１４】
可動柱軸(７)の上端部外周面は、上方に向かって漸次縮径する緩やかなテーパ面(８)に形成されて、取付体(９)の取付部(10)に形成された下方に向かって拡開するテーパ孔(11)に密着嵌合されている。
【００１５】
取付体(９)の後上部には、テーパ孔(11)のほぼ後半部にかかるように、切欠部(12)が設けられ、この切欠部(12)には、欠落したテーパ孔(11)の一部を補完するテーパ面(13a)を有する蓋状の脱着体(13)が嵌合されている。該脱着体(13)は、背面に設けた左右１対の通孔(14)に挿通した２個の止めねじ(15)によって取付体(９)に固定されている。
【００１６】
以上の構成において、前記脱着体(13)は、図１に示すように切欠部(12)に嵌合、固定されていて、この状態で下部のテーパ孔(11)に可動柱軸(７)を従来と同様に嵌装する。
【００１７】
取付体(９)を可動柱軸(７)から取外すには、止めねじ(15)を外すことによって、脱着体(13)を切欠部(12)から取外す。これにより、テーパ孔(11)のおよそ半分に相当する部分が欠落することになる。
【００１８】
そのため、取付体(９)側のほぼ半分になったテーパ孔(11)のテーパ面と、可動柱軸(７)のテーパ面(８)との摩擦抵抗はほぼ半減し、取付体(９)を可動柱軸(７)から容易に取外すことができる。
【００１９】
図５は、本発明の第２の実施形態の要部の断面を示す。図６は、その底面図である。
この例において、取付体(９)の底面において、テーパ孔(11)の一部周面に上方へ向く切欠部(16)が形成され、切欠部(16)に、脱着体(17)が下方から嵌入され、かつ止着されている。
【００２０】
脱着体(17)の底面には、上方へ向って大径のねじ孔(18)が形成され、ねじ孔(18)の突当りに位置する取付体(９)に、小径のねじ孔(19)が形成されている。
【００２１】
脱着体(17)の締着時には、大径のねじ孔(18)を遊通し、かつ小径のねじ孔(19)に螺合する小径の有頭ねじ(20)を用いる。
【００２２】
図５の状態で、テーパ孔(11)に可動柱軸(７)のテーパ面(８)を嵌合させるのは前例と同様である。
この取付体(９)を可動柱軸(７)のテーパ面(８)から取外すには、前記有頭ねじ(20)を取外した後、大径のねじ孔(18)に大径の雄ねじ(21)を螺合し、その先端で、小径のねじ孔(19)の開口縁部を押圧する。すると、その反作用で脱着体(17)が切欠部(16)から下方に離脱させられ、それと同時に取付体(９)が可動柱軸(７)から簡単に取外される。
【００２３】
このように、取付体(９)の取外し時において、伸縮支柱を強く挟みつけるような特別な工具などを用いることなく、容易に抜き外して再利用することができる。
【００２４】
なお、本発明は、前記の両実施形態に限定されるものではなく、目的に沿って適宜設計変更をすることができる。例えば、前記脱着体(17)の、テーパ面(8)と対面する面積並びに位置は、任意に設定することができ、また脱着体(17)を複数設定することもできる。また当然に、材質を変化させることができる。
【００２５】
【発明の効果】
上記のように構成されたこの発明は、次のような効果を奏しうる。
【００２６】
請求項１記載の発明によると、取付体におけるテーパ孔の形状に変化はないので、従来と同様に、取付体と支柱とを強固に密接嵌合させることができる。
【００２７】
脱着体を取外すことによって、支柱のテーパ面との密接面積が物理的に減少するため、摩擦抵抗が減少し、特別な工具などを用いることなく、取付体を伸縮支柱から、容易に取外すことができる。
【００２８】
取外し時に、支柱を強く挟みつけるような特別な工具を使用して傷を付けるというようなことがないので、無傷の状態で取外して、再利用することができる。
【００２９】
請求項２記載の発明によると、脱着体が取付体の外部に露呈しているので、脱着体を容易に着脱することができる。
【００３０】
請求項３記載の発明によると、脱着体が下面にしか露呈しないので、外観をよくすることができる。
【００３１】
請求項４記載の発明のように、支柱を伸縮式とした場合に、上記した効果を十分に発揮することができる。
【００３２】
請求項５記載の発明によると、脱着体を、大径のねじ孔に螺合した大径の雄ねじのねじ込み時の反力を利用して、軽力で取付体から強制的に離脱させることができる。
【図面の簡単な説明】
【図１】本発明の第１の実施形態を備える椅子の要部の縦断側面図である。
【図２】同じく、要部を後斜め上方より見た斜視図である。
【図３】同じく、分解斜視図である。
【図４】同じく、脱着体を前斜め上方より見た斜視図である。
【図５】本発明の第２の実施形態の要部の縦断側面図である。
【図６】図５の底面図である。
【符号の説明】
(１)椅子の支柱取付装置
(２)キャスタ
(３)台脚
(４)取付孔
(５)伸縮支柱
(６)支筒
(７)可動柱軸
(８)テーパ面
(９)取付体
(10)取付部
(11)テーパ孔
(12)切欠部
(13)脱着体
(13a)テーパ面
(14)通孔
(15)止めねじ
(16)切欠部
(17)脱着体
(18)ねじ孔
(19)ねじ孔
(20)有頭ねじ
(21)雄ねじ
【図１】
0004312903.tif 000002
【図２】
0004312903.tif 000003
【図３】
0004312903.tif 000004
【図４】
0004312903.tif 000005
【図５】
0004312903.tif 000006
【図６】
0004312903.tif 000007